(57)【要約】【課題】電子商取引等のサービスを提供するためのＷｅｂページ中に、いわゆる「買い物かご」のデータを反映した画像を表示させる。【解決手段】サーバシステム１０は、Ｗｅｂページを表示しているユーザ端末２０からの要求に応じて、次の手順〔１〕〜〔４〕により生成した画像をユーザ端末２０に送信する。〔１〕特典の付与条件（ここでは、注文金額の下限値）を料金ＤＢ１３より抽出する（Ｓ５０５）。〔２〕注文予定をバスケットＤＢ１２より抽出する（Ｓ５１０）。続いて、当該注文予定に係る各商品の単価を商品ＤＢ１１より抽出し、合計金額を算出する（Ｓ５１５）。〔３〕画像のテンプレートをバナーＤＢ１４より抽出する（Ｓ５２０，図１（ｂ））。〔４〕上記〔１〕で抽出した注文金額の下限値に対する上記〔２〕で算出した合計金額の不足額をテンプレートの空白部分（図１（ｂ）の１２０ｂ）に埋め込む（Ｓ５２５）。【選択図】図５
2014006938.tif 000002
【特許請求の範囲】
【請求項１】
ユーザの端末と接続可能なサーバシステムであって、
所定の特典の付与条件を記憶している付与条件記憶手段と、
商品の識別情報を含む注文予定をユーザごとに記憶する注文予定記憶手段と
を有し、
Ｗｅｂページ中のコンテンツの参照先に係るコンテンツの要求を前記ユーザの端末から受信するコンテンツ要求受信手段と、
前記付与条件を具備しない場合に必要なコストと、前記ユーザの注文予定の全体および前記付与条件から求まる該付与条件を具備するために必要な条件とを含むコンテンツを生成するコンテンツ生成手段と、
前記生成したコンテンツを前記ユーザの端末に送信するコンテンツ送信手段と
を備える
ことを特徴とするサーバシステム。
【請求項２】
請求項１に記載のサーバシステムにおいて、
前記コンテンツ生成手段は、前記付与条件を具備しない場合に必要なコストを含むテンプレートを利用してコンテンツを生成する
ことを特徴とするサーバシステム。
【請求項３】
請求項１又は２に記載のサーバシステムにおいて、
前記付与条件記憶手段は、前記所定の特典の付与条件たる注文金額の下限値を記憶しており、
商品の識別情報に対応させて該商品の単価を少なくとも記憶している商品情報記憶手段をさらに有し、
前記コンテンツ生成手段は、前記ユーザの注文予定に含まれる各商品の単価を前記商品情報記憶手段より抽出し、該各単価を用いて合計金額を算出し、前記付与条件たる注文金額の下限値に対する該合計金額の不足額を含むコンテンツを生成する
ことを特徴とするサーバシステム。
【請求項４】
請求項３に記載のサーバシステムにおいて、
前記不足額より大きい特定の価格帯であって、前記合計金額と前記特定の価格帯に含まれる価格の和が、前記合計金額と前記付与条件を具備しない場合に必要なコストとの和よりも小さい前記特定の価格帯を算出し、前記特定の価格帯の商品に関するレコメンド情報を生成するレコメンド情報生成手段を更に含む
ことを特徴とするサーバシステム。
【請求項５】
請求項１又は２に記載のサーバシステムにおいて、
前記付与条件記憶手段は、前記所定の特典の付与条件たる注文個数の下限値を記憶しており、
前記コンテンツ生成手段は、前記ユーザの注文予定に含まれる商品の合計個数を計数し、前記付与条件たる注文個数の下限値に対する該合計個数の不足数を含むコンテンツを生成する
ことを特徴とするサーバシステム。
【請求項６】
請求項１〜５のいずれかに記載のサーバシステムにおいて、
前記付与条件を具備しない場合に必要なコストは、前記付与条件を具備しない場合にユーザが負担すべき商品配送料であり、
前記所定の特典は、前記商品配送料が無料になるという特典である
ことを特徴とするサーバシステム。
【請求項７】
請求項１〜６のいずれかに記載のサーバシステムにおいて、
商品の指定情報を含むページ要求を前記ユーザの端末から受信するページ要求受信手段と、
前記受信した指定情報に係る商品の識別情報を前記ユーザの注文予定に対応付けて前記注文予定記憶手段に格納する注文予定登録手段と、
コンテンツの参照先を含むＷｅｂページを生成し前記ユーザの端末に送信するページ提供手段と
をさらに備える
ことを特徴とするサーバシステム。
【請求項８】
請求項１〜６のいずれかに記載のサーバシステムにおいて、
商品の指定情報を前記ユーザの端末から受信し、該商品の識別情報を前記ユーザの注文予定に対応付けて前記注文予定記憶手段に格納する注文予定登録手段と、
前記ユーザの端末からの要求に応じて、コンテンツの参照先を含むＷｅｂページを生成し、該ユーザの端末に送信するページ提供手段と
をさらに備える
ことを特徴とするサーバシステム。
【請求項９】
ユーザの端末と接続可能なサーバシステムによる情報提供方法であって、
所定の特典の付与条件を記憶している付与条件記憶手段と、
商品の識別情報を含む注文予定をユーザごとに記憶する注文予定記憶手段と
を有するサーバシステムが、
Ｗｅｂページ中のコンテンツの参照先に係るコンテンツの要求を前記ユーザの端末から受信するコンテンツ要求受信ステップと、
前記付与条件を具備しない場合に必要なコストと、前記ユーザの注文予定の全体および前記付与条件から求まる該付与条件を具備するために必要な条件とを含むコンテンツを生成するコンテンツ生成ステップと、
前記生成したコンテンツを前記ユーザの端末に送信するコンテンツ送信ステップと
を実行する
ことを特徴とする情報提供方法。
【請求項１０】
ユーザの端末と接続可能なサーバシステムにおける情報提供プログラムであって、
所定の特典の付与条件を記憶している付与条件記憶手段と、
商品の識別情報を含む注文予定をユーザごとに記憶する注文予定記憶手段と
を有するサーバシステムに、
Ｗｅｂページ中のコンテンツの参照先に係るコンテンツの要求を前記ユーザの端末から受信するコンテンツ要求受信ステップと、
前記付与条件を具備しない場合に必要なコストと、前記ユーザの注文予定の全体および前記付与条件から求まる該付与条件を具備するために必要な条件とを含むコンテンツを生成するコンテンツ生成ステップと、
前記生成したコンテンツを前記ユーザの端末に送信するコンテンツ送信ステップと
を実行させる
ことを特徴とする情報提供プログラム。
【請求項１１】
請求項３に記載のサーバシステムにおいて、
前記コンテンツ生成手段は、
前記注文予定記憶手段に前記ユーザの注文予定が記憶されていない場合には、前記付与
条件たる注文金額の下限値を含むコンテンツを生成し、
前記注文予定記憶手段に前記ユーザの注文予定が記憶されている場合には、前記ユーザ
の注文予定に含まれる各商品の単価を前記商品情報記憶手段より抽出し、該各単価を用い
て合計金額を算出し、前記付与条件たる注文金額の下限値に対する該合計金額の不足額を
含むコンテンツを生成する
ことを特徴とするサーバシステム。
【請求項１２】
請求項５に記載のサーバシステムにおいて、
前記コンテンツ生成手段は、
前記注文予定記憶手段に前記ユーザの注文予定が記憶されていない場合には、前記付与条件たる注文個数の下限値を含むコンテンツを生成し、
前記注文予定記憶手段に前記ユーザの注文予定が記憶されている場合には、前記ユーザの注文予定に含まれる商品の合計個数を計数し、前記付与条件たる注文個数の下限値に対する該合計個数の不足数を含むコンテンツを生成する
ことを特徴とするサーバシステム。
【発明の詳細な説明】
【技術分野】
【０００１】
本発明は、Ｗｅｂページを介してユーザ端末に特定の情報を提供する仕組みに関し、特に、当該Ｗｅｂページ中に表示させる画像を動的に生成する処理に関するものである。
【背景技術】
【０００２】
＜先行技術１＞
Ｗｅｂページを閲覧するユーザの属性に応じたバナー広告を、当該ページに表示させる仕組みが知られている（例えば、特許文献１参照）。
具体的には、概ね次の手順により生成したバナー広告をＷｅｂページに表示させる。前提として、素材データ，テンプレート及び表示形態がバナー広告のパターンごとに登録されているものとする（特許文献１の図４〜７，９〜１１等）。また、ユーザ属性とパターンとが関連付けて登録されているものとする（特許文献１の図１５，１６等）。
【０００３】
〔１〕バナー広告閲覧装置から、ユーザの個人情報を受信する（特許文献１の図２０のＳ４０１）。
〔２〕ユーザの個人情報から属性を判断し、パターン番号を特定する（特許文献１の図２０のＳ４０２，Ｓ４０３）。
〔３〕特定したパターンのテンプレートに素材データを埋め込み、表示形態を調整する（特許文献１の図１２のＳ２０２，Ｓ２０３）。
〔４〕画像バナー全体のサイズを調整する（特許文献１の図１２のＳ２０４）。
【０００４】
＜先行技術２＞
オンラインショッピングモールにおいて、複数種類の商品の一括注文を受け付ける機能が提供されている（例えば、非特許文献１参照)。
具体的には、ショップごとに設けられた「買い物かご」にユーザが選択した商品を順次追加していく手順と、「買い物かご」に入っている商品の一括注文を受け付ける手順とを経て、複数種類の商品の一括注文が成立する。
【先行技術文献】
【特許文献】
【０００５】
【特許文献１】特開２００２−０８２８７４号公報
【非特許文献】
【０００６】
【非特許文献１】楽天株式会社、「楽天市場」、[online]、インターネット<URL: http://www.rakuten.co.jp/index.html>
【発明の概要】
【発明が解決しようとする課題】
【０００７】
本発明が解決しようとする課題は、電子商取引等のサービスを提供するためのＷｅｂページ中に、いわゆる「買い物かご」のデータを反映した画像を表示させる、という点である。
【課題を解決するための手段】
【０００８】
上記課題を解決するため、本発明は、ユーザの端末と接続可能なサーバシステムであって、所定の特典の付与条件を記憶している付与条件記憶手段と、商品の識別情報を含む注文予定をユーザごとに記憶する注文予定記憶手段とを有し、Ｗｅｂページ中のコンテンツの参照先に係るコンテンツの要求を前記ユーザの端末から受信するコンテンツ要求受信手段と、前記付与条件を具備しない場合に必要なコストと、前記ユーザの注文予定の全体および前記付与条件から求まる該付与条件を具備するために必要な条件とを含むコンテンツを生成するコンテンツ生成手段と、前記生成したコンテンツを前記ユーザの端末に送信するコンテンツ送信手段とを備えることを特徴とする。
【０００９】
前記コンテンツ生成手段は、前記付与条件を具備しない場合に必要なコストを含むテンプレートを利用してコンテンツを生成するとよい。
前記付与条件記憶手段は、前記所定の特典の付与条件たる注文金額の下限値を記憶しており、商品の識別情報に対応させて該商品の単価を少なくとも記憶している商品情報記憶手段をさらに有し、前記コンテンツ生成手段は、前記ユーザの注文予定に含まれる各商品の単価を前記商品情報記憶手段より抽出し、該各単価を用いて合計金額を算出し、前記付与条件たる注文金額の下限値に対する該合計金額の不足額を含むコンテンツを生成してもよい。
前記不足額より大きい特定の価格帯であって、前記合計金額と前記特定の価格帯に含まれる価格の和が、前記合計金額と前記付与条件を具備しない場合に必要なコストとの和よりも小さい前記特定の価格帯を算出し、前記特定の価格帯の商品に関するレコメンド情報を生成するレコメンド情報生成手段を更に含に含んでいてもよい。
前記付与条件記憶手段は、前記所定の特典の付与条件たる注文個数の下限値を記憶しており、前記コンテンツ生成手段は、前記ユーザの注文予定に含まれる商品の合計個数を計数し、前記付与条件たる注文個数の下限値に対する該合計個数の不足数を含むコンテンツを生成してもよい。
【００１０】
前記付与条件を具備しない場合に必要なコストは、前記付与条件を具備しない場合にユーザが負担すべき商品配送料であり、前記所定の特典は、前記商品配送料が無料になるという特典であってもよい。
商品の指定情報を含むページ要求を前記ユーザの端末から受信するページ要求受信手段と、前記受信した指定情報に係る商品の識別情報を前記ユーザの注文予定に対応付けて前記注文予定記憶手段に格納する注文予定登録手段と、コンテンツの参照先を含むＷｅｂページを生成し前記ユーザの端末に送信するページ提供手段とをさらに備ええていてもよい。
商品の指定情報を前記ユーザの端末から受信し、該商品の識別情報を前記ユーザの注文予定に対応付けて前記注文予定記憶手段に格納する注文予定登録手段と、前記ユーザの端末からの要求に応じて、コンテンツの参照先を含むＷｅｂページを生成し、該ユーザの端末に送信するページ提供手段とをさらに備えていてもよい。
前記コンテンツ生成手段は、前記注文予定記憶手段に前記ユーザの注文予定が記憶されていない場合には、前記付与条件たる注文金額の下限値を含むコンテンツを生成し、前記注文予定記憶手段に前記ユーザの注文予定が記憶されている場合には、前記ユーザの注文予定に含まれる各商品の単価を前記商品情報記憶手段より抽出し、該各単価を用いて合計金額を算出し、前記付与条件たる注文金額の下限値に対する該合計金額の不足額を含むコンテンツを生成してもよい。
前記コンテンツ生成手段は、前記注文予定記憶手段に前記ユーザの注文予定が記憶されていない場合には、前記付与条件たる注文個数の下限値を含むコンテンツを生成し、前記注文予定記憶手段に前記ユーザの注文予定が記憶されている場合には、前記ユーザの注文予定に含まれる商品の合計個数を計数し、前記付与条件たる注文個数の下限値に対する該合計個数の不足数を含むコンテンツを生成してもよい。
【００１１】
また、上記課題を解決するため、本発明は、ユーザの端末と接続可能なサーバシステムによる情報提供方法であって、所定の特典の付与条件を記憶している付与条件記憶手段と、商品の識別情報を含む注文予定をユーザごとに記憶する注文予定記憶手段とを有するサーバシステムが、Ｗｅｂページ中のコンテンツの参照先に係るコンテンツの要求を前記ユーザの端末から受信するコンテンツ要求受信ステップと、前記付与条件を具備しない場合に必要なコストと、前記ユーザの注文予定の全体および前記付与条件から求まる該付与条件を具備するために必要な条件とを含むコンテンツを生成するコンテンツ生成ステップと、前記生成したコンテンツを前記ユーザの端末に送信するコンテンツ送信ステップとを実行することを特徴とする。
【００１２】
また、上記課題を解決するため、本発明は、ユーザの端末と接続可能なサーバシステムにおける情報提供プログラムであって、所定の特典の付与条件を記憶している付与条件記憶手段と、商品の識別情報を含む注文予定をユーザごとに記憶する注文予定記憶手段とを有するサーバシステムに、Ｗｅｂページ中のコンテンツの参照先に係るコンテンツの要求を前記ユーザの端末から受信するコンテンツ要求受信ステップと、前記付与条件を具備しない場合に必要なコストと、前記ユーザの注文予定の全体および前記付与条件から求まる該付与条件を具備するために必要な条件とを含むコンテンツを生成するコンテンツ生成ステップと、前記生成したコンテンツを前記ユーザの端末に送信するコンテンツ送信ステップとを実行させることを特徴とする。
【発明の効果】
【００１３】
本発明のサーバシステムは、ユーザの端末から画像要求を受信したとき、当該ユーザの注文予定（「買い物かご」のデータ）と所定の特典の付与条件とを参照し、当該付与条件を具備するために必要な条件を含む画像を生成し、当該端末に送信する。
よって、本発明のサーバシステムが生成した画像をＷｅｂページ中に表示させれば、所定の特典の付与条件を具備することを希望するユーザによる商品の追加注文を促進する効果が期待できる。
【図面の簡単な説明】
【００１４】
【図１】実施形態の概要の説明図である。（実施形態）
【図２】システム構成を示すブロック図である。（実施形態）
【図３】データベースのデータ項目の説明図である。（実施形態）
【図４】情報提供の手順を示すフロー図である。（実施形態）
【図５】画像生成処理の手順を示すフロー図である。（実施形態）
【図６】注文予定確認ページの表示例である。（実施形態）
【図７】注文予定確認ページの表示例である。（実施形態）
【図８】注文予定確認ページの表示例である。（実施形態）
【図９】画像生成処理の手順を示すフロー図である。（変形例１）
【図１０】注文予定確認ページの表示例である。（変形例１）
【発明を実施するための形態】
【００１５】
＜実施形態＞
［１．実施形態の概要］
本実施形態のシステムは、仮想商店街（オンラインショッピングモール）を管理するサービス（以下、「仮想商店街管理サービス」という。）を運営するシステムである。
特に、「買い物かご」のデータを反映した画像を生成し、Ｗｅｂページ中に表示させる点に特徴を有する。
【００１６】
図１を参照し、本実施形態の概要を説明する。
図１（ａ）は、「買い物かご」にデータが含まれない場合に表示される画像の表示例である。当該画像は、例えば、商品の配送料（１１０）と、当該配送料が無料になるという特典の付与条件（１２０ａ、ここでは注文金額の下限値）とを含んでいる。
一方、図１（ｂ）は、テキストの埋め込みが可能なテンプレートの表示例である。当該テンプレートは、空欄部分（１２０ｂ）を有しており、上記の付与条件を具備するために特定の時点で必要な条件（例えば、注文金額の下限値から「買い物かご」に入っている商品の合計金額を控除して得られた不足金額）を適時に補充することが可能である。
【００１７】
本実施形態のサーバシステムは、ユーザ端末から画像要求を受信したとき、当該ユーザの注文予定（「買い物かご」のデータ）と所定の特典（送料が無料になるという得点）の付与条件（○○円分の注文で送料無料）とを参照し、当該付与条件を具備するために必要な条件（あと○○円分追加注文すれば送料無料）を含む画像を生成し、当該端末に送信する。
よって、本実施形態のサーバシステムが生成した画像をＷｅｂページ中に表示させれば、所定の特典の付与条件を具備することを希望するユーザによる商品の追加注文を促進する効果が期待できる。
【００１８】
［２．システム構成］
図２に、本実施形態のシステムの構成を示す。
図２に示すように、本実施形態のシステムは、サーバシステム１０とユーザ端末２０とが通信ネットワーク（本実施形態では、インターネット３０）を介して接続されたクライアント・サーバシステムである。
サーバシステム１０は、商品ＤＢ１１，バスケットＤＢ１２，料金ＤＢ１３及びバナーＤＢ１４を有している。
【００１９】
その他、サーバシステム１０は、例えば、次のデータベース（図示せず）を有しているものとする。
・Ｗｅｂページを構成するデータ（ＨＴＭＬ，スタイルシート，スクリプト等）を記憶しているＷｅｂＤＢ
・Ｗｅｂページのコンテンツ（静止画，動画等）を記憶している画像ＤＢ
・仮想商店街管理サービスのユーザに関する情報を記憶しているユーザＤＢ
・仮想商店街管理サービスの店舗に関する情報を記憶している店舗ＤＢ
・仮想商店街管理サービスの注文に関する情報を記憶する注文ＤＢ
【００２０】
［２−１．Ｗｅｂサーバシステム］
図２において、サーバシステム１０は、仮想商店街管理サービスを提供するサーバ群である。
サーバシステム１０は、例えば、Ｗｅｂページの生成・送信機能を有するＷｅｂサーバ，データベースを管理するＤＢサーバ，画像生成処理を実行する画像生成サーバその他の必要なサーバ装置を含んでいる。
【００２１】
［（ａ）商品ＤＢ］
図２において、商品ＤＢ１１は、仮想商店街管理サービスにおける商品の情報を記憶しているデータベースである。
図３（ａ）に、商品情報の主要な項目を示す。
図３（ａ）に示すように、１件の商品情報は、「商品ＩＤ」，「商品名」，「取扱店舗ＩＤ」，「単価」，「サムネイルＵＲＬ」及び「商品ページＵＲＬ」を含んでいる。
【００２２】
［（ｂ）バスケットＤＢ］
図２において、バスケットＤＢ１２は、仮想商店街管理サービスにおける「買い物かご」のデータ（注文予定）を記憶するデータベースである。
図３（ｂ）に、注文予定の主要な項目を示す。
図３（ｂ）に示すように、１件の注文予定は、「セッションＩＤ」，「店舗ＩＤ」，「シリアルＩＤ」，「商品ＩＤ」及び「削除フラグ」を含んでいる。
【００２３】
ここで、「セッションＩＤ」は、ユーザ端末２０（ブラウザ）のcookieファイルに記録しておきアクセスの都度送信させるデータであり、少なくともユーザの同一性の識別に利用することができる。「シリアルＩＤ」は、注文予定に登録された商品を識別するための識別情報であり、本実施形態では登録された順に連番の番号を付している。「削除フラグ」は、注文予定に登録された後に削除されたか否かを示すフラグであり、有意のとき削除されていることを示す。
本実施形態では、次の条件を満たす注文予定の集合が、あるユーザが特定の店舗の「買い物かご」に入れている商品に相当する。
・「セッションＩＤ」が共通である。
・「店舗ＩＤ」が共通である。
・「削除フラグ」が有意でない。
【００２４】
［（ｃ）料金ＤＢ］
図２において、料金ＤＢ１３は、仮想商店街管理サービスにおける各種の料金に関する情報を記憶しているデータベースである。
本実施形態では、配送料情報及び当該配送料が無料になるという特典の付与条件をそれぞれ複数件ずつ記憶している。
【００２５】
図３（ｃ）に、配送料情報の主要な項目を示す。
図３（ｃ）に示すように、１件の配送料情報は、「店舗ＩＤ」，「配送先地域区分」，「配送料」及び「テンプレートパス」を含んでいる。
本実施形態では、全国一律に又は一定の地域範囲（例えば、「北海道」，「本州・四国・九州」，「沖縄」，「島嶼部」等）ごとに、各店舗が独自に配送料を設定しているものとする。
【００２６】
図３（ｄ）に、特典付与条件の主要な項目を示す。
図３（ｄ）に示すように、１件の特典付与条件は、「店舗ＩＤ」，「条件区分」及び「付与条件」を含んでいる。
本実施形態では、「配送料が無料になるという特典」につき、注文金額の合計（「条件区分」）が所定の下限値以上である（「付与条件」）ことを示す付与条件を、各店舗が独自に設定しているものとする。
【００２７】
［（ｄ）バナーＤＢ］
図２において、バナーＤＢ１４は、画像生成用のテンプレートを記憶しているデータベースである。
本実施形態では、配送料情報（図３（ｃ））に対応して、各店舗が配送料ごとに用意したテンプレート（例えば、図１（ｂ）参照）を記憶しているものとする。
なお、テンプレートの配送料の部分も空白とし、画像生成処理において当該空白部分に適当な配送料を埋め込む構成にしてもよい。これにより、配送料ごとにテンプレートを記憶しておく場合と比較して、記憶しておくテンプレートのデータ容量を抑えることができる。
【００２８】
［２−２．ユーザ端末］
図２において、ユーザ端末２０は、仮想商店街管理サービスのユーザが使用する端末である。
ユーザ端末２０は、Ｗｅｂブラウザを有しており、サーバシステム１０から受信したデータを読み込み、ディスプレイに表示する。
ユーザ端末２０は、通信機能を有する既存の情報処理端末（例えば、パソコン等の電子計算機等）でよい。
【００２９】
［３．情報提供手順］
本実施形態のシステムにおいてサーバシステム１０は、Ｗｅｂページを読み込んだユーザ端末２０からの要求に応じて、動的に生成した画像をユーザ端末２０に送信する。
当該Ｗｅｂページには、画像を表示させるための画像参照（<img>タグ）が埋め込まれている。また、当該画像参照の参照先（src属性の値）には、サーバシステム１０（画像生成サーバ）上で動作する画像生成プログラムを特定するＵＲＬが指定されている。
【００３０】
図４に、サーバシステム１０による情報提供の手順を示す。
〔１１〕ユーザ端末２０からＷｅｂページ（ここでは、商品ページ）の要求を受信する（Ｓ４０５）と、必要な商品情報を商品ＤＢ１１より抽出してＷｅｂページを生成し（Ｓ４１０）、ユーザ端末２０に送信する（Ｓ４１５）。
〔１２〕上記のＷｅｂページを介してユーザ端末２０から商品の指定情報を受信する（Ｓ４２０）と、受信した指定情報に係る商品の識別情報等をバスケットＤＢ１２に登録し（Ｓ４２５）、注文予定確認ページをユーザ端末２０に送信する（Ｓ４３０）。
【００３１】
〔１３〕ユーザ端末２０から画像の要求を受信する（Ｓ４３５）と、画像生成処理を実行し（Ｓ４４０，図５）、生成した画像をユーザ端末２０に送信する（Ｓ４４５）。
〔１４〕ユーザの選択に応じて、ユーザ端末２０からＷｅｂページ（ここでは、直前の商品ページ）の要求を受信し（上記〔１１〕）、又は注文手続申請を受信する（Ｓ４５０）。
【００３２】
［４．画像生成処理］
［４−１．手順］
図５に、サーバシステム１０による画像生成処理の手順を示す。
〔２１〕特典の付与条件（ここでは、注文金額の下限値）を料金ＤＢ１３より抽出する（Ｓ５０５）。
〔２２〕注文予定をバスケットＤＢ１２より抽出する（Ｓ５１０）。続いて、当該注文予定に係る各商品の単価を商品ＤＢ１１より抽出し、合計金額を算出する（Ｓ５１５）。
〔２３〕画像のテンプレートをバナーＤＢ１４より抽出する（Ｓ５２０，図１（ｂ））。
〔２４〕上記〔２１〕で抽出した注文金額の下限値に対する上記〔２２〕で算出した合計金額の不足額をテンプレートの空白部分（図１（ｂ）の１２０ｂ）に埋め込む（Ｓ５２５）。
【００３３】
［４−２．注文予定の抽出について］
必要な注文予定は、「セッションＩＤ」と、例えば次のいずれかの方法により特定した所望の「店舗ＩＤ」とを指定することにより、バスケットＤＢ１２より抽出することができる。
・画像参照の参照先ＵＲＬに、パラメータとして店舗ＩＤを付加しておき、画像の要求（図４のＳ４３５）とともに受信した店舗ＩＤを所望の店舗ＩＤとする。
・セッションＩＤに対応付けて、仮想商店街管理サービスにおけるユーザの行動履歴を記録しておき、最後に買い物かごに入れられた商品（注文予定に登録された商品ＩＤ）に係る「取扱店舗ＩＤ」（図３（ａ）参照）を所望の店舗ＩＤとする。
【００３４】
［４−３．テンプレートの抽出について］
必要なテンプレートは、「店舗ＩＤ」（上記「４−２」で特定した所望の「店舗ＩＤ」）と、「配送先地域区分」とを指定することにより、バナーＤＢ１４より抽出することができる。
本実施形態では、配送料が全国一律に設定されている場合を例として説明しているため、「配送先地域区分」を指定する必要はない。
【００３５】
なお、配送料が一定の地域範囲ごとに設定されている場合、例えば次のように「配送先地域区分」を指定するとよい。
・画像生成の段階でユーザが認証済みであれば、ユーザＤＢ（図示せず）を参照し、当該ユーザの居住地に対応する「配送先地域区分」を指定する。
・画像生成の段階でユーザが認証済みでなければ、最も可能性の高い地域区分（例えば、首都圏が含まれる区分），デフォルト設定されている地域区分等を「配送先地域区分」として指定する。
【００３６】
［５．Ｗｅｂページの表示例］
［５−１．表示例］
図６〜８に、Ｗｅｂページの表示例を示す。
図６〜８のＷｅｂページ（６００，７００，８００）は、商品ページにおいて特定のボタン（例えば、「買い物かごに入れる」，「商品を購入する」，「カートに入れる」等と表示されているボタン）のクリックによりユーザが当該商品ページに係る商品を指定した直後にユーザ端末２０に送信される注文予定確認ページの表示例である。
前提として、配送料が無料になるという特典の付与条件（注文金額の下限値）は、「１０，５００円」に設定されているものとする（図１（ａ）参照）。
【００３７】
（図６）
買い物かごの中に８，５００円の商品（消費税別）が入っており（６１０ａ）、合計金額（消費税込）は「８，９２５円」となる。
よって、下限値「１０，５００円」に対する合計金額「８，９２５円」の不足額「１，５７５円」を示すテキストが画像（６２０）内に埋め込まれている（６３０）。
【００３８】
（図７）
買い物かごの中に８，５００円の商品（消費税別）と１，２１９円の商品（消費税別）とが入っており（７１０ａ，ｂ）、合計金額（消費税込）は「１０，２０４円」となる。
よって、下限値「１０，５００円」に対する合計金額「１０，２０４円」の不足額「２９６円」を示すテキストが画像（７２０）内に埋め込まれている（７３０）。
【００３９】
（図８）
買い物かごの中に８，５００円の商品（消費税別）と１，２１９円の商品（消費税別）と３４３円の商品（消費税別）が入っており（８１０ａ〜ｃ）、合計金額（消費税込）は「１０，５６５円」となる。
よって、下限値「１０，５００円」に対する合計金額「１０，５６５円」の不足額は０円である。この場合、配送料が無料になる旨を明示し又は示唆するテキストが画像（８２０）内に埋め込まれるようにするとよい。図８の表示例では、不足額「０円」を示すテキストがそのまま埋め込まれている（８３０）。
【００４０】
［５−２．効果］
図６〜８の表示例からも見て取れるように、本実施形態のシステムは、例えば次の効果を奏する。
・配送料が無料になるという特典の付与条件を具備するために必要な不足額を含む画像を生成しＷｅｂページに表示させることにより、ユーザによる商品の追加注文を促進する効果が期待できる。
・上記の付与条件を具備しない場合に必要なコスト（配送料）を含む画像をＷｅｂページに表示させることにより、ユーザによる比較検討に資する。特に、特定の価格帯の商品を追加で注文した方が配送料を含む合計費用が安くなる場合（例えば、図７の状態において「２９６円」以上「６３０円」未満の商品を追加注文すると、合計費用が安くなる）には、ユーザによる商品の追加注文を促進する効果が大きい。
【００４１】
［６．変形例］
［（変形例１）特典付与条件を注文個数により設定する］
［（ａ）手順］
図９に、サーバシステム１０による画像生成処理の手順を示す。
なお、図９において図５と同一の符号が付されている処理ステップは、同様の処理であるものとする。
【００４２】
〔３１〕特典の付与条件（ここでは、注文個数の下限値）を料金ＤＢ１３より抽出する（Ｓ９０５）。
〔３２〕注文予定をバスケットＤＢ１２より抽出する（Ｓ５１０）。続いて、当該注文予定に係る商品の個数を計数する（Ｓ９１５）。
〔３３〕画像のテンプレートをバナーＤＢ１４より抽出する（Ｓ５２０，図１（ｂ））。
〔３４〕上記〔３１〕で抽出した注文個数の下限値に対する上記〔３２〕で計数した合計個数の不足数をテンプレートの空白部分（図１（ｂ）の１２０ｂ）に埋め込む（Ｓ９２５）。
【００４３】
［（ｂ）表示例］
図１０に、Ｗｅｂページの表示例を示す。
図１０のＷｅｂページ（１０００）は、商品ページにおいて特定のボタン（例えば、「買い物かごに入れる」，「商品を購入する」，「カートに入れる」等と表示されているボタン）のクリックによりユーザが当該商品ページに係る商品を指定した直後にユーザ端末２０に送信される注文予定確認ページの表示例である。
前提として、配送料が無料になるという特典の付与条件（注文個数の下限値）は、「８個」に設定されているものとする。
【００４４】
（図１０）
買い物かごの中に入っている商品の合計個数は「３個」である（１０１０ａ〜ｃ）。
よって、下限値「８個」に対する合計個数「３個」の不足数「５個」を示すテキストが画像（１０２０）内に埋め込まれている（１０３０）。
【００４５】
［（ｃ）効果］
図１０の表示例からも見て取れるように、変形例１のシステムは、例えば次の効果を奏する。
・配送料が無料になるという特典の付与条件を具備するために必要な不足数を含む画像を生成しＷｅｂページに表示させることにより、ユーザによる商品の追加注文を促進する効果が期待できる。
・上記の付与条件を具備しない場合に必要なコスト（配送料）を含む画像をＷｅｂページに表示させることにより、ユーザによる比較検討に資する。
【００４６】
［（変形例２）特定の価格帯の商品をレコメンドする］
特定の価格帯の商品を追加で注文した方が配送料を含む合計費用が安くなる場合に、当該価格帯の商品のレコメンド情報をＷｅｂページ中の画像の周辺に配置してもよい。
例えば、図７の状態において「２９６円」以上「６３０円」未満の商品を追加注文すると、合計費用が安くなる。この場合、下記の条件を満たす商品の商品情報を商品ＤＢ１１より抽出し、レコメンド情報を生成するとよい。
・「単価」が「２９６円」以上「６３０円」未満である。
・「取扱店舗ＩＤ」が、画像に係る「店舗ＩＤ」と等しい。
【００４７】
［（変形例３）特定の店舗と関連のある任意のＷｅｂページ内に画像を表示させる］
上述の実施形態では、「買い物かご」のデータ（注文予定）の確認ページに画像を表示させている（図４のＳ４３０〜Ｓ４４５等）。これに対し、特定の店舗と関連のある任意のＷｅｂページ内に画像を表示させてもよい。
例えば、次のＷｅｂページ内に画像を表示させるとよい。
・特定の商品に係る商品ページ
・特定の店舗に係るトップページ
・特定の店舗が管理しているその他のＷｅｂページ
【００４８】
［（変形例４）特定の店舗と関連のある任意のＷｅｂページ内に情報を表示させる］
上述の実施形態では、所定の特典の付与条件を具備するために必要な条件，当該付与条件を具備しない場合に必要なコスト等を、画像の内部に埋め込んで表示させている。
これに対し、当該条件，コスト等をＷｅｂページ中にテキストデータで表示させてもよい。ただし、ユーザに対する訴求力を高めるという観点では、当該条件，コスト等に係るテキストを画像の内部に埋め込む方が好ましい。
【００４９】
［７．補足］
上述の実施形態は、仮想商店街管理サービスにおいて本発明を実施する場合を想定したものである。そのため、「仮想店舗」ごとに「買い物かご」が用意されることを前提として、「仮想店舗」ごとに各別にデータを管理している（図３（ｂ）〜（ｄ））。
これに対し、他のサービス（例えば、特定企業によるインターネット通信販売サービス）において本発明を実施する場合には、「仮想店舗」という概念がないため、「仮想店舗」ごとにデータを管理する必要がない。
【符号の説明】
【００５０】
１０    サーバシステム
１１    商品ＤＢ
１２    バスケットＤＢ
１３    料金ＤＢ
１４    バナーＤＢ
２０    ユーザ端末
３０    インターネット
【図２】
2014006938.tif 000003
【図３】
2014006938.tif 000004
【図４】
2014006938.tif 000005
【図５】
2014006938.tif 000006
【図９】
2014006938.tif 000007
【図１】
2014006938.tif 000008
【図６】
2014006938.tif 000009
【図７】
2014006938.tif 000010
【図８】
2014006938.tif 000011
【図１０】
2014006938.tif 000012